(57)【要約】      （修正有）【課題】不感領域を無くし、繊維領域の全体が、信号のピックアップに寄与するようにした繊維センサを提供する。【解決手段】容量型タッチ繊維センサ１０は、繊維層３０及び高抵抗材料のコーティング層２０を含む。高抵抗材料のコーティング層２０は、繊維層３０を被膜している。容量型タッチ繊維センサ１０は、さらに、繊維層３０に重畳された複数の電極４０を含んでいる。これら複数の電極４０は、高抵抗材料のコーティング層２０と電気的に結合されており、各電極４０は、電気的接続部材によって電子制御ユニットに接続されている。この電子制御ユニットは、容量型タッチ繊維センサ１０上のタッチイベントを示す抵抗層の静電容量値の変化を算出する。【選択図】図１
2020113258.tif 000002
【特許請求の範囲】
【請求項１】
繊維層（３０）と高電気抵抗材料のコーティング層（２０）を含む容量型タッチ繊維センサ（１０）であって、
前記抵抗性コーティング層（２０）は、前記繊維層（３０）を被膜しており、
前記繊維センサ（１０）は、さらに、前記繊維層（３０）に重畳された複数の電極（４０）を含んでおり、
前記複数の電極（４０）は、前記抵抗材料コーティングの第１の層（２０）と電気的に結合されており、
前記各電極（４０）は、電気的接続部材（５０）によって電子制御ユニット（４５０）に接続されており、
前記電子制御ユニット（４５０）は、前記容量型タッチ繊維センサ（１０）上のタッチイベントを示す前記抵抗層の静電容量値の変化を算出するように構成されていることを特徴とする容量型タッチ繊維センサ（１０）。
【請求項２】
請求項１に記載の容量型タッチ繊維センサ（１０）であって、前記抵抗性コーティング層（２０）は、前記繊維層（３０）上にスクリーン印刷されていることを特徴とする容量型タッチ繊維センサ（１０）。
【請求項３】
前記抵抗性コーティング層は、少なくとも部分的に、ポリアクリレート、ポリアミン及びポリウレタンからなる群から選択されたポリマーで形成されていることを特徴とする請求項１に記載の容量型タッチ繊維センサ（１０）。
【請求項４】
前記抵抗性コーティング層は、少なくとも部分的に生体高分子で形成されていることを特徴とする請求項１に記載の容量型タッチ繊維センサ（１０）。
【請求項５】
前記生体高分子は、微生物セルロース、微生物コラーゲン、セルロース／キチン共重合体、微生物絹、及びそれらの混合物から選択され、好ましくは前記微生物セルロースであることを特徴とする請求項４に記載の容量型タッチ繊維センサ（１０）。
【請求項６】
前記導電性材料が前記生体高分子に貼り付けられ、前記導電性材料は炭素質材料であり、好ましくは、活性炭、高表面積炭素、グラフェン、グラファイト、活性木炭、カーボンナノチューブ、カーボンナノファイバー、活性炭繊維、グラファイト繊維、グラファイトナノファイバー、カーボンブラック及びそれらの混合物からなる群から選択されたものであることを特徴とする請求項４に記載の容量型タッチ繊維センサ（１０）。
【請求項７】
前記抵抗性コーティング層（２０）は、前記繊維層（３０）上にスクリーン印刷されていることを特徴とする請求項１に記載の容量型タッチ繊維センサ（１０）。
【請求項８】
前記電気的接続部材（５０）は、鋼、炭素不純物を含むナイロン、又は銅から選択された材料で作られた接続ワイヤであり、絶縁されていても絶縁されていなくてもよいことを特徴とする請求項１に記載の容量型タッチ繊維センサ（１０）。
【請求項９】
前記電子制御ユニット（４５０）によって算出される前記静電容量値の変化は、接触領域と前記電極（４０）間の距離と、前記抵抗性コーティング層（２０）の電気抵抗率の関数であることを特徴とする請求項１に記載の容量型タッチ繊維センサ（１０）。
【請求項１０】
容量型の前記繊維層（３０）は、織布であることを特徴とする請求項１に記載の容量型タッチ繊維センサ（１０）。
【請求項１１】
繊維センサ（１０）上のタッチイベントを検出する方法であって、
−前記繊維センサ（１０）に繊維層（３０）を設け、
−高電気抵抗材料のコーティングの層（２０）により、前記繊維層（３０）を被膜し、
−前記繊維層に重畳され、前記抵抗材料のコーティングの第１の層と電気的に結合された複数の電極を設け、
−前記複数の電極によって提供される静電容量値の変化を算出し、
−前記複数の電極によって提供される前記静電容量値の変化の関数として、タッチイベントを決定することを特徴とするタッチイベントを検出する方法。
【請求項１２】
前記タッチイベントは、前記電極（４０）によって提供される前記静電容量値を、前記イベントの前記電極（４０）への近接度の尺度として考慮することによって解釈されることを特徴とする請求項１１に記載のタッチイベントを検出する方法。
【請求項１３】
人間のジェスチャを解釈するための繊維基材であって、
前記繊維基材は容量型タッチ繊維センサ（１０）を含み、
前記容量型タッチ繊維センサ（１０）は、繊維層（３０）と高電気抵抗材料のコーティング層（２０）とを含んでおり、
前記抵抗材料のコーティング層（２０）は、前記繊維層（３０）を被膜しており、
前記繊維センサ（１０）は、さらに前記繊維層（３０）に重畳された複数の電極（４０）を含んでおり、
前記複数の電極（４０）は、前記抵抗材料のコーティングの第１の層（２０）と電気的に接触しており、
前記容量型タッチ繊維センサ（１０）は、請求項１１〜１２のいずれか１項に記載の方法に従って、人間のジェスチャによって生成されたデータ構造を受信して解釈するように構成された電子制御ユニット（４５０）に接続されていることを特徴とする繊維基材。
【請求項１４】
繊維基材上で実行されるジェスチャを体系化するコンピューター実装のデータ構造であって、
前記繊維基材は、容量型タッチ繊維センサ（１０）を含んでおり、
前記容量型タッチ繊維センサ（１０）は、繊維層（３０）と高電気抵抗材料のコーティングの層（２０）を含み、前記抵抗性コーティング層（２０）は、前記繊維層（３０）を被膜しており、
前記繊維センサ（１０）は、さらに、前記繊維層（３０）に重畳された複数の電極（４０）を含んでおり、
前記複数の電極（４０）は、前記抵抗材料のコーティングの第１の層（２０）と電気的に接触しており、
前記データ構造は、前記容量型タッチ繊維センサ（１０）でジェスチャイベントが実行される所定の時間の間隔中に前記タッチ繊維センサ（１０）によって生成された生のタッチデータを含んでおり、
前記データ構造は、請求項１１〜１２のいずれか１項に記載の方法に従って、電子制御ユニット（４５０）によって解釈されるのに適応していることを特徴とするコンピューター実装のデータ構造。
【請求項１５】
請求項１〜１０のいずれか１項に記載の繊維センサ（１０）を含むことを特徴とする衣服。
【発明の詳細な説明】
【技術分野】
【０００１】
本発明の技術分野は、面積の大きなタッチ繊維に関する。特に、本発明は、容量型タッチ繊維センサに関する。
【背景技術】
【０００２】
従来技術において、タッチパッド内の複数の検出素子として、複数の導電性糸の一次元配列又は二次元配列、又はスクリーン印刷又は積層された複数の分離リボンが知られており、これらは、敏感なタッチ領域を形成するために使用されている。
当該分野の従来技術における課題として、精細度に基づいて分離した複数の導電糸や複数の印刷リボンを使用すると、検知に有効に使用しうる総面積が減少するという事実がある。なぜなら、これらの複数の検出素子間における領域は、タッチパッドに対するタッチイベントのピックアップに使用されない。換言すると、これら複数の検出素子間の領域は、タッチに伴う刺激の取得に寄与しない不感領域である。
【０００３】
特に織布の場合、糸が真っ直ぐに伸びるという織物の製織プロセス固有の特性があるため、複数のタッチ感知センサ要素の形状は常に直線状である。そのため、画面の広い領域を感知作用に寄与させることができる、正方形又は長方形のパターンを使用することはできない。
【０００４】
特許文献１は、可撓性基板上にセンサの配列を形成するために、適切な繊維材料などの可撓性基板に複数の導電性パターンを、縫い付け又は編んで形成された、センサアセンブリを開示している。
これらの複数の導電性パターンは、個々の検知ポイントの位置に対応するノード及び／又は電極を形成している。一実施形態では、このセンサセンブリは、センサの配列に印加される静電界の歪みを、静電容量値の変化として測定可能に配置された、複数のタッチ感知センサを提供している。
【０００５】
特許文献２は、複数の導電性糸と複数の非導電性糸とを編んで形成された、相互作用繊維を開示している。この非導電性糸は、綿、羊毛、絹、ナイロン、ポリエステルなどの、任意の種類の非導電性糸、繊維、又は布地におけるものである。
この相互作用繊維は、上部の繊維層と下部の繊維層を含み、導電性糸が上部の繊維層と下部の繊維層の間に織り込まれている。上部の繊維層を、下部の繊維層と組み合わせると、上下各層の導電性糸は、タッチ入力を検出するように構成された静電容量式タッチセンサを形成する。この静電容量式タッチセンサは、動作時に、自己静電容量センシング又は投影型静電容量センシングにより、導電糸の格子上のタッチ入力の位置を決定するようになっている。
【０００６】
繊維コントローラーは、自己容量センサとして構成されている場合、制御信号（たとえば、正弦波信号）を各導電性糸に供給することにより、交差する導電性糸（例えば、水平、垂直導電性糸）を充電する。ユーザーの指などの物体が導電糸の格子に触れると、触れられたこれらの導電糸は接地され、その静電容量が変化する（例えば静電容量の増減）。
【先行技術文献】
【特許文献】
【０００７】
【特許文献１】ＵＳ２０１６／０３２８０４３Ａ１
【特許文献２】ＵＳ２０１６／０２８２９８８Ａ１
【発明の概要】
【発明が解決しようとする課題】
【０００８】
本発明の目的は、不感領域を無くし、繊維領域の全体が、信号のピックアップに寄与するようにした繊維センサを提供することにある。
【課題を解決するための手段】
【０００９】
この目的及び他の目的は、独立請求項に記載の繊維センサによって達成される。
従属請求項は、本発明の好ましい局面、及び／又は特に有利な局面を記述している。
【００１０】
本明細書に記載の実施例は、繊維層及び高電気抵抗材料のコーティング層を含む、容量型タッチ繊維センサを提供するものであり、前記抵抗材料のコーティング層は、前記繊維層を被覆し、前記繊維センサは、さらに、前記繊維層に重畳された複数の電極を含み、これら複数の電極は、前記抵抗材料コーティングの第１の層に電気的に結合されており、前記各電極は、電気的接続部材によって電子制御ユニットに接続されている。この電子制御ユニットは、前記容量型タッチ繊維センサに対するタッチイベントを示す、抵抗層の静電容量値の変化を算出するように構成されている。
この実施形態によれば、実際の検知ピン又は検知ポイントは、限られた数又は離散した数しか接続されていないにも拘わらず、繊維の表面の全領域をセンサとして効果的に利用するようにした、容量型タッチ繊維センサが形成されるという利点が得られる。
【００１１】
従って、非常に制御された高電気抵抗性のコーティングにより、繊維の表面全体に感度が分散され、複数の離散した読み出しポイントを備えたタッチパッドが作成される。このような抵抗性コーティングを使用すると、繊維の表面全体にわたって各電極の感度が拡大する。これにより、各検出素子の感度が、それ自体に制限され、外側には拡張せず、検知要素間の領域は、感度のない普通の糸で満たされた不感領域を有する従来技術と比較して、より高精度の位置感度を得ることが可能になる。
【００１２】
明細書に記載の一実施例によれば、以下のステップを含む、繊維センサ上のタッチイベントを検出する方法が提供される。
−繊維センサに繊維層を設け、
−前記繊維層を被覆する高電気抵抗材料のコーティング層を設け、
−前記繊維層に重畳され、前記抵抗材料コーティングである第１の層と電気的に結合された、複数の電極を設け、
−前記複数の電極によって提供される静電容量値の変化を算出し、
−前記複数の電極によって提供される前記静電容量値の変化の関数として、タッチイベントを決定する。
【図面の簡単な説明】
【００１３】
【図１】本発明の一実施例の断面図である。
【図２】本発明の概念を説明するための、本発明の一実施例の断面図である。
【図３】本発明の一実施例の概略モデルを示す図である。
【図４】本発明の別の実施例の断面図である。
【図５】本発明の別の実施例の概略モデル、及びその可能な使用形態のモデルを示す図である。
【図６】本発明のさらに別の実施例の概略モデル、及びその可能な使用形態のモデルを示す図である。
【図７】本発明のさらに別の実施例の概略モデル、及びその可能な使用形態のモデルを示す図である。
【図８】本発明の実施形態の、感度境界の概略を示す図である。
【図９】本発明の実施形態の、感度境界の概略を示す図である。
【図１０】本発明の実施形態の、感度境界の概略をす図である。
【発明を実施するための形態】
【００１４】
本発明の様々な実施形態について、添付の図面を参照して、その適用及び使用を制限する意図なしに、詳細に説明する。
【００１５】
最初に、本発明の一実施例の断面図である図１を参照して、本発明、すなわち、符号１０で全体を示す、容量型繊維センサについて説明する。
この容量型繊維センサ１０は、面積の大きなタッチ繊維センサとして動作する。
この容量型繊維センサ１０は、高電気抵抗材料のコーティングである第１の層２０を備えており、この第１の層２０は、繊維層３０を被覆するために使用されている。
この抵抗性コーティングは、繊維層３０上にスクリーン印刷されてもよい。容量型の繊維層３０は、織布であってもよい。
容量型繊維センサ１０は、さらに、好ましくは印刷により、繊維層３０上に設けられた複数の電極４０を含んでおり、これらの電極は、高電気抵抗材料のコーティングである第１の層２０で被膜されている。
一般に、電極４０は、抵抗材料コーティングの第１の層２０と電気的に結合されている。
【００１６】
各電極は、電気的接続部材５０によって電子制御ユニット４５０に接続されている。
電気的接続部材５０は、鋼、炭素不純物を含むナイロン、又は銅から選択された材料から作られた接続ワイヤであり、絶縁されていても絶縁されていなくてもよい。
従って、コーティング層２０は、複数の電極間の高抵抗の結合媒体であり、絶縁性、非絶縁導電性または低抵抗の糸４０の一次元配列若しくは二次元配列、又は、繊維層３０上に印刷されたリボンの被膜として使用される。
抵抗性コーティング層２０は、例えば、少なくとも部分的に、ポリアクリレート、ポリアミン及びポリウレタンからなる群から選択されたポリマーであってもよい。
【００１７】
本発明の別の実施形態では、抵抗性コーティング層２０は、本発明者の出願であるＥＰ１８１９７３４８．８に記載され、参照のために本明細書に組み込まれる、生体高分子により実現することができる。
特に、生体高分子は、微生物セルロース、微生物コラーゲン、セルロース／キチン共重合体、微生物絹、及びそれらの混合物から選択できる。生体高分子は、好ましくは微生物セルロースである。導電性材料を、上記生体高分子に貼り付けることもできる。
【００１８】
所望の電気抵抗値を得るために、生体高分子の少なくとも一部に提供される導電性材料の量は、正確かつ信頼できる方法で調整されるのが良い。
前記導電性材料は、炭素質材料が良く、好ましくは、活性炭、高表面積炭素、グラフェン、グラファイト、活性木炭、カーボンナノチューブ、カーボンナノファイバー、活性炭繊維、グラファイト繊維、グラファイトナノファイバー、カーボンブラック、あるいはそれらの混合物からなる群から選択されたものである。
このようにして、実際の検知ピン又は検知ポイントは、限られた数又は離散した数しか接続されていないにも拘わらず、繊維の表面積の全体を、センサとして効果的に使用する容量型タッチ繊維センサを製作することができる。
従って、非常に制御された高抵抗性コーティングにより、感度が表面全体に分散された、複数の個別の読み出しポイントを備えるタッチパッドを製作することができる。
以上説明した構成によれば、繊維領域の全体が、信号のピックアップに寄与するようになり、不感領域を無くすことができる。
【００１９】
信号の読み出しは、アプリケーションの詳細に応じて、バイナリ又はアナログにすることができる。静電容量式タッチ繊維センサ１０の静電容量値は、例えば、充電時間、又は発振器（例えばコルピッツ発振器）の発振周波数を測定することにより、又は、当該技術分野で既知の他の測定技術により、算出できる。
【００２０】
図２は、本発明の概念を説明するための、本発明の実施形態の断面図である。図２には、コーティング層２０と電気的に接触し、距離ｄ［ｎ］だけ離れた２個の電極が示されている。
２個の隣接する電極は、２つの異なる電気的なバイナリ読み出し信号、ＣＨ−１及びＣＨ−２を提供する。
これらの電極間には、これらの電極間の全ての領域を、タッチイベントに対して敏感な感度領域とするために、抵抗性コーティング２０が設けられている。このような抵抗性コーティングが存在しない場合、電極４０のみがタッチイベントに敏感であり、そのため、タッチイベントに対して有効に感応する感度領域が減少する。
読み出しは、バイナリ（図２）又はアナログの両方にできる。
【００２１】
コーティングは非常に高抵抗であるため、タッチポイントがそれぞれの電極から遠ざかると、タッチに伴う刺激は、最初の最も近くにあった電極とは無関係になり、現在の最も近い電極との関連が深くなる。そのため、タッチイベントに関連する信号は、それぞれの電極から切り離される。
媒体の電気抵抗率（又は実質的に表面抵抗）は、次のようにして調整できる。
上記電気抵抗率は、隣接する複数のセンサ電極又は収集電極が短絡するのを避けるためには、十分に高く、かつ、タッチイベントの可能な限り高いピックアップ／寄生結合を可能にするためには、十分に低い値である。
【００２２】
適切な信号を提供するための、電極間の有効距離は、次の式で取得できる。
【００２３】
【数１】
2020113258.tif 000003
ここで、Ｅは有効距離、ｄ［ｎ］は２個の隣接する電極間の距離である。また、上式中の
【数２】
2020113258.tif 000004
は、抵抗層２０のシート抵抗である。
【００２４】
上記の状況は、図２に模式的に示した本発明の実施形態を、模式モデルとして示した、図３を使用して視覚化できる。
このモデルでは、一連の複数の抵抗素子Ｒｉが、隣接する２個の電極４０間に配置されている。
タッチイベント又は刺激が電極の１つに近づくと、その電極はタッチイベントとの関連性がより高くなり、このタッチイベントの電極への近接の関数として、より高い出力を生成する。
刺激が２個の電極の中央にある場合、両方のチャネル（チャネル１とチャネル２）が同時に起動する。読み出しは、バイナリ又はアナログの両方で行うことができる。
【００２５】
図４は、本発明の実施形態、特に、その動作プロトタイプの概略図を示す図である。この図には、繊維３０の帯が描かれており、この繊維３０の帯は抵抗性コーティング２０で被覆されている。この抵抗性コーティング２０は、複数の電極４０も覆っている。
各電極４０は、接続ワイヤ５０により、それぞれ電子制御ユニット（ＥＣＵ）４５０に接続されている。
ＥＣＵ４５０は、メモリシステム及びインターフェースバスと通信する、デジタル中央処理装置（ＣＰＵ）を含んでいる。このＣＰＵは、メモリシステム４６０にプログラムとして格納された命令を実行し、インターフェースバスとの間で信号を送受信するように構成されている。
上記プロトタイプにより、本発明の動作範囲を理解することができる。
【００２６】
図５は、本発明の別の実施形態、及びその可能な使用法の概略モデルを示す図である。
図５では、一片の繊維が抵抗性コーティング２０で被覆されており、一例として、３個の電極４０が、この抵抗性コーティング２０に電気的に接続されている。
各電極４０は、それぞれの接続ワイヤ５０によってＥＣＵ４５０（図示略）に接続され、ＥＣＵに出力信号Ａ、Ｂ、及びＣを提供する。
使用されている繊維内には、導電糸がなく、実際の収集電極又は検出電極もなく、電子回路に接続された単一のコーティング層２０のみがある。このコーティング層２０は、その複数の縁の中の任意の１つの縁に等距離に設けられた複数の点でアナログ信号を読み出す電子回路に接続されている。正方形又は長方形の感度領域に加えられたジェスチャは、電子制御ユニット（ＥＣＵ）４５０によって取得され、メモリシステムに格納されているソフトウェアによって解釈される。
図５の下部には、上記解釈のロジックも示してある。
たとえば、もしＥＣＵ４５０が、図５の左下のグラフに示されているような容量性信号のパターンを検出したら、ＥＣＵ４５０は、そのパターンを、ポイントＪからポイントＫへのスワイプジェスチャとして解釈する。
もしＥＣＵ４５０が、図５の右下のグラフに描かれているような信号のパターンを検出したら、ＥＣＵ４５０は、そのようなパターンを、ポイントＫからポイントＬへのスワイプジェスチャとして解釈する。
【００２７】
図６は、本発明のさらに別の実施形態、及びその可能な使用法の概略を示す図である。
図６では、一片の繊維が抵抗性コーティング２０で被覆されており、一例として、２個の電極４０が、この抵抗性コーティング２０に電気的に接続されている。
各電極４０は、信号Ａ及びＢを提供するために、それぞれの接続ワイヤ５０によって、ＥＣＵ４５０（図示略）に接続されている。
たとえば、もしＥＣＵ４５０が、図６の中段左のグラフに示すような信号のパターンを検出した場合、このＥＣＵ４５０は、そのようなパターンを、ポイントＪからポイントＫへのスワイプジェスチャとして解釈する。一方、もしＥＣＵ４５０が、図６の中段右のグラフに示されているような信号のパターンを検出した場合、ＥＣＵ４５０は、このパターンを、ポイントＪからポイントＬへのスワイプジェスチャとして解釈する。
【００２８】
もしＥＣＵ４５０が、図６の左下のグラフに示されているような信号のパターンを検出した場合、このＥＣＵ４５０はそのようなパターンを、ポイントＫからポイントＬへのスワイプジェスチャとして解釈する。一方、もしＥＣＵ４５０が、図６の右下のグラフに示されているような信号のパターンを検出した場合、このＥＣＵ４５０は、そのようなパターンを、ポイントＭからポイントＮへのスワイプジェスチャとして解釈する。
【００２９】
図７は、本発明のさらなる実施形態、及びその可能な使用法の概略モデルを示す図である。この例は、特に、円形の繊維センサ１０に関するものであり、高抵抗率のコーティング２０及びこのコーティングと電気的に接触し、それぞれが互いに１２０°間隔で配置された３個の電極４０を備えている。
各電極４０は、信号Ａ、Ｂ、及びＣを提供するために、それぞれの接続ワイヤ５０によってＥＣＵ４５０（図示略）に接続されている。
【００３０】
たとえば、もしＥＣＵ４５０が、図７の左下のグラフに示されているような信号のパターンを検出した場合、このＥＣＵ４５０は、そのようなパターンを、ポイントＫからポイントＬへのスワイプジェスチャとして解釈する。
もしＥＣＵ４５０が、図７の右下のグラフに示されているような信号のパターンを検出した場合、このＥＣＵ４５０はそのようなパターンを、ポイントＫからポイントＭへのスワイプジェスチャとして解釈する。
従って、一般に、タッチジェスチャは、複数の電極４０によって提供される静電容量値の変化の関数として決定される。
特に、タッチジェスチャは、１つの電極４０によって提供される静電容量の値を、この電極４０へのジェスチャの近接度の尺度として考慮することにより解釈される。
【００３１】
図８は、感度境界に関する、本発明の実施形態を示す概略図である。
図８において、繊維センサ１０は円形のセンサであり、高抵抗率のコーティングと、このコーティングと電気的に接触し、互いに対して１２０°間隔で配置された３個の電極Ａ、Ｂ及びＣを備えている。
各電極Ａ、Ｂ、Ｃに対して、それぞれの影響領域Ａ’、Ｂ’、Ｃ’の輪郭が決まる。さらに、センサ上の任意の位置で、その位置に応じて信号の特定の組み合わせがピックアップされるように、感度境界ＡＢ、ＡＣ、ＢＣの輪郭を決めることができる。
【００３２】
図９は、感度境界に関する本発明の別の実施形態を示す概略図である。
図９において、繊維センサ１０は長方形であり、高抵抗率のコーティングと、このコーティングと電気的に接触し、かつ互いに距離をおいて配置された６個の電極Ａ、Ｂ、Ｃ、Ｄ、Ｅ及びＦを備えている。
これらの各電極に対して、それぞれの影響領域Ａ’、Ｂ’、Ｃ’、Ｄ’、Ｅ’、Ｆ’の輪郭が決まる。さらに、センサ上の任意の位置で、その位置に応じて信号の特定の組み合わせがピックアップされるように、感度境界ＡＢ、ＡＣ、ＡＤ、ＤＥ、ＥＦ、ＣＦの輪郭を決めることができる。
【００３３】
最後に、図１０は、感度境界に関する本発明のさらに別の実施形態を示す概略図である。
図１０において、繊維センサ１０は正方形であり、高抵抗率のコーティングと、このコーティングと電気的に接触し、互いに距離をおいて配置された４個の電極Ａ、Ｂ、Ｃ及びＤを備えている。
各電極に関して、それぞれの影響領域Ａ’、Ｂ’、Ｃ’及びＤ’の輪郭が決まる。さらに、センサ上の任意の位置でその位置に応じて、信号の特定の組み合わせがピックアップされるように、感度境界ＡＢ、ＡＣ、ＢＤ及びＣＤの輪郭を決めることができる。
【００３４】
なお、全ての図において、感度境界は、本発明によれば容量型繊維センサの表面の全体を、感度に対して能動的なものにできることを例示するために、示されている。
【００３５】
以上述べた概要及び詳細な説明により、少なくとも１つの例示的な実施形態が示されたが、これ以外に、膨大な数の変形の形態が存在することを理解されたい。
また、これらの１つ又は複数の例示的な実施形態は、単なる例に過ぎず、本発明の範囲や適用可能性、又は構成を限定することを意図していないことも理解されたい。むしろ、前記概要及び詳細な説明は、少なくとも１つの例示的な実施形態を実装するための便利なロードマップを当業者に提供するものであり、添付の特許請求の範囲、及びそれらの法的同等物に記載されている範囲から逸脱することなく、これらの例示的な実施形態で説明した要素の機能及び配置に、様々な変更を加えることができることを理解されたい。
【符号の説明】
【００３６】
１０      容量型タッチ繊維センサ
２０      高抵抗材料のコーティング層
３０      繊維層
４０      電極
５０      電気的接続部材
４５０    電子制御ユニット
４６０    メモリシステム
ＣＨ−１    バイナリ読み出し信号
ＣＨ−２    バイナリ読み出し信号
Ｒｉ      抵抗素子
Ａ〜Ｆ    電極
Ａ’〜Ｆ’    影響領域
ＡＢ、ＡＣ、ＢＣ、ＡＤ、ＢＤ、ＣＤ、ＢＥ、ＣＦ、ＤＥ    感度境界
ＥＦ      感度境界。
【図１】
2020113258.tif 000005
【図２】
2020113258.tif 000006
【図３】
2020113258.tif 000007
【図４】
2020113258.tif 000008
【図５】
2020113258.tif 000009
【図６】
2020113258.tif 000010
【図７】
2020113258.tif 000011
【図８】
2020113258.tif 000012
【図９】
2020113258.tif 000013
【図１０】
2020113258.tif 000014
【外国語明細書】
2020113258000001.pdf